(57)【要約】【課題】  急激な開閉を回避すべく、比較的簡易な構成でダンパー機能付きヒンジを提供する。また、ダンパー機能を備えない既存のヒンジをもダンパー機能付きヒンジに改良できる構成を開示する。【解決手段】  軸を介して二つのヒンジ片を回動可能に連結したヒンジにおいて、前記二つのヒンジ片間に当該ヒンジの開閉面に位置して伸縮部材を前記開閉面側におけるヒンジ片のなす角度が大きくなるにつれ前記伸縮部材が伸張するように架設した。各ヒンジ片の先端に鉤部を設けると共に、伸縮部材の両端に前記鉤部に係止可能な止め部を設け、二つのヒンジ片の前記鉤部間に伸縮部材を着脱可能に架設した。各ヒンジ片に先端に鉤部を設けたアジャスターを取り付けると共に、伸縮部材の両端に前記鉤部に係止可能な止め部を設け、前記アジャスターの鉤部間に伸縮部材を着脱可能に架設した。【選択図】          図１
2006045944.tif 000002
【特許請求の範囲】
【請求項１】
軸を介して二つのヒンジ片を回動可能に連結したヒンジにおいて、前記二つのヒンジ片間に当該ヒンジの開閉面に位置して伸縮部材を前記開閉面側におけるヒンジ片のなす角度が大きくなるにつれ前記伸縮部材が伸張するように架設したことを特徴とするダンパー機能付きヒンジ。
【請求項２】
各ヒンジ片の先端に鉤部を設けると共に、伸縮部材の両端に前記鉤部に係止可能な止め部を設け、二つのヒンジ片の前記鉤部間に伸縮部材を着脱可能に架設した請求項１記載のダンパー機能付きヒンジ。
【請求項３】
各ヒンジ片に先端に鉤部を設けたアジャスターを取り付けると共に、伸縮部材の両端に前記鉤部に係止可能な止め部を設け、前記アジャスターの鉤部間に伸縮部材を着脱可能に架設した請求項１記載のダンパー機能付きヒンジ。
【請求項４】
アジャスターは各ヒンジ片に対し伸縮部材の伸縮方向に沿ってスライド可能に取り付けられる請求項３記載のダンパー機能付きヒンジ。
【請求項５】
各ヒンジ片にアジャスターの厚み分だけ凹陥した取り付け凹溝を設けた請求項３または４記載のダンパー機能付きヒンジ。
【請求項６】
伸縮部材とヒンジの軸との間に弾力性を有するスペーサーを介在させた請求項１から５のうち何れか一項記載のダンパー機能付きヒンジ。
【請求項７】
伸縮部材に衝撃緩和用のカバーを取り付けた請求項１から６のうち何れか一項記載のダンパー機能付きヒンジ。
【請求項８】
各ヒンジ片の表面に沿って伸縮部材を挿通する門型のガイドを取り付けた請求項１から７のうち何れか一項記載のダンパー機能付きヒンジ。
【請求項９】
伸縮部材はゴムベルトである請求項１から８のうち何れか一項記載のダンパー機能付きヒンジ。
【発明の詳細な説明】
【技術分野】
【０００１】
この発明は、蓋や扉などの開閉体を開閉可能に連結するヒンジに係り、より詳しくは急激な開閉を回避すべくダンパー機能を備えた構造に関するものである。
【背景技術】
【０００２】
ヒンジ（蝶番に同じ）は、二つの取り付け片（ヒンジ片）を軸によって回動可能に連結してなり、取り付け片それぞれを枠と戸などに固定することによって開閉体を構成するものである（例えば、特許文献１を参照）。
【０００３】
【特許文献１】特開平１０−２３１８３０号公報
【発明の開示】
【発明が解決しようとする課題】
【０００４】
ヒンジはあらゆる開閉体に適用されるが、例えばオートバイを利用した書類や飲食物のバイク宅配業務などにおいて、オートバイのリアに装備されるデリバリー用ボックスなど、上下に開閉することを意図した適用については、特に次のような課題がある。即ち、前記デリバリー用ボックスは収納部本体に蓋をヒンジを介して上下に開閉可能に連結したものであるが、この場合、ヒンジは蓋の開閉動作に追従して回動するのみであり、前記開閉動作をなんら制御するものではないため、特に、蓋を閉じる動作においては蓋の自重により急激な閉動作が生じることがある。この急激な閉動作は前記ボックスの損傷を招くこともある。なお、軸にスプリング等のエネルギー吸収材を装備したダンパー機能付きヒンジも現に存在するが（例えば、特開２０００−３４８５４号公報参照）、当該ヒンジは、工場出荷段階で前記吸収材を装備するものであるため、既存のヒンジをダンパー機能付きに改良するものではない。
【０００５】
本発明は上述した課題を解決するためになされたもので、その目的とするところは、急激な開閉を回避すべく、比較的簡易な構成でダンパー機能付きヒンジを提供することである。また、ダンパー機能を備えない既存のヒンジをもダンパー機能付きヒンジに改良できる構成を開示することも本発明の創作目的の一つである。
【課題を解決するための手段】
【０００６】
上述した目的を達成するため本発明では、軸を介して二つのヒンジ片を回動可能に連結したヒンジにおいて、前記二つのヒンジ片間に当該ヒンジの開閉面に位置して弾性的に伸縮する伸縮部材を前記開閉面側におけるヒンジ片のなす角度が大きくなるにつれ前記伸縮部材が伸張するように架設するという手段を用いた。伸縮部材はヒンジ片の回動に従って弾性的に伸縮し、ヒンジ片のなす角度（開角度）が大きくなるにつれ当該運動に抗するように伸縮部材は伸張し、このときの引張力によって急激な回動動作を回避することができる。
【０００７】
より具体的な手段としては、各ヒンジ片の先端に鉤部を設けると共に、伸縮部材の両端に前記鉤部に係止可能な止め部を設け、二つのヒンジ片の前記鉤部間に伸縮部材を架設する。さらに、伸縮部材を着脱可能に架設することで、伸縮部材の交換が可能となる。
【０００８】
なお、上記手段では工場において既にヒンジ片の先端に鉤部を製作することが前提となるが、これも含め、ダンパー機能を有しない既存のヒンジを改良するために、各ヒンジ片に先端に鉤部を設けたアジャスターを取り付けると共に、伸縮部材の両端に前記鉤部に係止可能な止め部を設け、前記アジャスターの鉤部間に伸縮部材を架設するという手段を用いる。
【０００９】
また、当該手段において、アジャスターは各ヒンジ片に対し伸縮部材の伸縮方向に沿ってスライド可能に取り付けるという手段を選択的に用いる。これにより両ヒンジ片におけるアジャスターの距離を調整でき、もって伸縮部材のテンションを調整することができる。
【００１０】
さらに、各ヒンジ片にアジャスターの厚み分だけ凹陥した取り付け凹溝を設けることによって、該凹溝がアジャスターのスライドガイドとして機能すると共に、アジャスターがヒンジ片と面一となるように前記凹溝に完全に収容される。
【００１１】
また、伸縮部材とヒンジの軸との間に弾力性を有するスペーサーを介装したものにあっては、このスペーサーがクッションとして伸縮部材と軸の直接的な接触を回避し、伸縮部材及び軸を保護することができる。また、スペーサーはその大きさに見合って伸縮部材のテンション調整機能も兼ねることができる。なお、スペーサーは伸縮部材等と別体であっても、伸縮部材と一体成形したものであってもよい。
【００１２】
さらにまた、伸縮部材にカバーを取り付けることによって、伸縮部材を外力等から防護する。特に、ヒンジが外気に曝されるような場合、風雨や日光、鋭利なものの不用意な接触による損傷から伸縮部材を守る。なお、伸縮部材をヒンジの回動動作時でも確実に保護するには、カバーをゴムや蛇腹形状の伸縮性を有する部材より構成することが好ましい。
【００１３】
また、各ヒンジ片には伸縮部材が挿通可能な門型のガイドを取り付けることによって、該ガイドが開動作時における伸縮部材のたるみを規制する。さらに、ヒンジ片のなす角度が最も小さくなる場合でも伸縮部材にテンションを持続させ、当該テンションにより当該状態を維持することができる。
【００１４】
なお、伸縮部材はバネ、スプリング、油圧ダンパー等、弾性的な伸縮性により運動エネルギーを吸収し得るものから構成することができるが、最も汎用的な構成としては、ゴムベルトから構成することが好ましい。
【発明の効果】
【００１５】
以上説明した手段を用いた本発明によれば、伸縮部材の伸張力（伸縮性能）によってヒンジの回動動作時に発生する運動エネルギーが吸収され、急激な開閉動作を回避することができる。また、その構成もヒンジ片間に伸縮部材を架設するといった簡易なものとすることができると共に、アジャスターを用いれば既存のヒンジをダンパー機能付きヒンジに改良することも容易に行うことができる。さらに、アジャスターのスライド機能により伸縮部材のテンション調整も容易に行える。また、弾力性を有するスペーサーやカバーにより伸縮部材が防護され、耐久性の高いダンパー機能付きヒンジとすることができる。また、伸縮部材を着脱可能に架設するような構成では、損傷や経時的なヘタリ等が生じた伸縮部材を新品に交換することができる。さらに、ヒンジ片にガイドを取り付けることによって、ヒンジ片のなす角度が最も小さくなる例えば開動作にも伸縮部材のテンションが保持され、もって開状態を当該テンションによって維持することができる。よって、当該構造をピザパイのデリバリー用ボックス等の収納容器に適用した場合には、手指で開状態を維持することを要せず、物品の出し入れを容易に行うことができ、加えて不用意な閉動作を回避して手指を挟むなどの危険をも回避することができる。
【発明を実施するための最良の形態】
【００１６】
以下、本発明の好ましい実施の形態を添付した図面に従って説明する。図１は、本発明の第一実施形態を示したもので、図中、１はヒンジ片１ａ・１ｂを軸１ｃを介して回動可能に連結してなるヒンジ、２はそれぞれ先端に鉤部２ａが形成され、ボルト２ｂによってヒンジ片１ａ・１ｂの先端側に取り付けられるアジャスター、３は両端にアジャスター２の前記鉤部２ａに着脱可能に係止されるリング状の止め部３ａを設けた伸縮部材であって、この実施形態の場合、ゴムベルトを主体として構成している。而して、伸縮部材３の止め部３ａをアジャスター２の鉤部２ａに係止することで、伸縮部材３は開閉動作面側に位置してヒンジ片１ａ・１ｂ間に架設される。そして、当該架設状態において、一方のヒンジ片１ａ・１ｂを、あるいは双方同時に回動させることによって、伸縮部材３が伸張し、当該テンションによって前記回動力を吸収し、急激な回動動作を回避することができる。
【００１７】
なお、ヒンジ１は初期にヒンジ片１ａ・１ｂのなす角度をどのように設定するかによって、開閉状態を決定するものであるが、ここでは開閉面側（ヒンジの取り付け面とは反対面側）においてヒンジ片１ａ・１ｂのなす角度が１８０度のとき閉状態とし、且つ、これを越えて全開位置となった場合には、当該ヒンジを適用した物品（例えば蓋）の自重を越える引張力がかかるように伸縮部材３のテンションを調整しておくものとする。
【００１８】
他方、当該テンション調整機能を発揮するには、図２に示したように、アジャスター２の取り付け部２ｃに伸縮部材３の伸縮方向に沿った長孔２ｄを形成すると共に、該長孔２ｄにボルト２ｂを挿通することによって、アジャスター２をヒンジ片１ａ・１ｂに対し伸縮部材３の伸縮方向に沿ってスライド可能とする。従って、当該構成によれば、そのスライド機能によりアジャスター２間の距離を調整することによって、伸縮部材３のテンションを適用する物品の自重など、所望の大きさに調整することができる。
【００１９】
さらに、アジャスター２の取り付けにあっては、第二実施形態を示した図３の通り、ヒンジ片１ａ・１ｂにアジャスター２の厚みに見合った凹溝（スライド用凹溝）１ｄを形成することが好ましい。該凹溝１ｄによってアジャスター２とヒンジ片１ａ・１ｂの取り付け面が面一となって体裁がよい上、凹溝１ｄがアジャスター２をぐらつきなく、そのスライド運動を確実にガイドするからである。
【００２０】
図４は、本発明の第三実施形態を示したもので、その特徴は、伸縮部材３とヒンジ１の軸１ｃとの間に弾力性を有するスペーサー４を介在したことである。この実施形態では、伸縮部材３と同じ素材よりリング状のスペーサー４を構成した。当該構成により、スペーサー４が伸縮部材３と軸１ｃとの直接の接触を防ぎ、軸１ｃによる伸縮部材３の損傷を防止することができる。なお、この実施形態では、伸縮部材３の中央にスペーサー４を一体的に設けたが、両者別体に構成することも可能である。また、ヒンジ１の開閉時に伸縮部材３が伸張して、軸１ｃに密着しようとしても、スペーサー４が弾性変形して、伸縮部材３の伸縮運動を阻害することがない。また、スペーサー４はその大きさに見合って伸縮部材３のテンション調整機能をも発揮する。
【００２１】
さらに、この第三実施形態の他の特徴としては、上述したアジャスター２を省略し、ヒンジ片１ａ・１ｂの先端に直接鉤部１ｅを形成したヒンジ１を用いたことである。ただし、スペーサー４の適用例には、上述したアジャスター２付きのヒンジ１にも含まれることはもちろんである。
【００２２】
他方、伸縮部材３を保護する別の手段としては、図５に示したように、伸縮部材３をゴムや蛇腹状に形成したプラスチックなどからなるカバー５で被覆することが好ましい。なお、カバー５は伸縮部材３の伸縮運動に追従して伸縮する構成が好ましく、そのため、ここではカバー５を蛇腹状に構成した。
【００２３】
続いては、図６は、本発明の第四実施形態を示したものであり、ヒンジ片１ａ・１ｂに伸縮部材３が挿通可能な門型のガイド６を取り付けたものである。当該ガイド６の構造は、服飾に属するベルトのベルト通しに喩えることができる。而して、当該ガイド６を備えたものによれば、図７に示したように、ヒンジの開状態において、伸縮部材３のたるみが防止されると共に、このときのたるみ抑制機能によって伸縮部材３に一定のテンションが発生する。この観点から、前記テンションが蓋や扉など開閉体の自重と均衡するように伸縮部材３を取り付ければ、上述した急激な閉動作を回避することに加え、開状態をも保持することができる。従って、当該構成を例えばピザパイのデリバリー用ボックスなどの収容容器に適用した場合には、開状態が保持されるため、蓋を手で支えることなく物品の出し入れができる上、不用意な閉動作により手が蓋に挟まるといった事故も回避することができる。なお、本実施形態では、各ヒンジ片１ａ・１ｂにガイド６を一つずつ設けたが、ガイド６を複数連設することも本発明に含まれるものとする。
【図面の簡単な説明】
【００２４】
【図１】本発明の第一実施形態を示したヒンジの分解側面図
【図２】同実施形態において、アジャスターのスライド構造を示した斜視図
【図３】本発明の第二実施形態を示したヒンジの側面図
【図４】本発明の第三実施形態を示したヒンジの分解側面図
【図５】カバーを適用した伸縮部材の平面図
【図６】本発明の第四実施形態を示したヒンジの斜視図
【図７】同実施形態において開状態を示したヒンジの斜視図
【符号の説明】
【００２５】
１  ヒンジ
１ａ・１ｂ  ヒンジ片
１ｃ  軸
１ｄ  アジャスタースライド用の凹溝
２  アジャスター
２ａ  鉤部
３  伸縮部材
３ａ  止め部
４  スペーサー
５  カバー
６  門型ガイド
【図１】
2006045944.tif 000003
【図２】
2006045944.tif 000004
【図３】
2006045944.tif 000005
【図４】
2006045944.tif 000006
【図５】
2006045944.tif 000007
【図６】
2006045944.tif 000008
【図７】
2006045944.tif 000009